(57)【要約】      （修正有）【課題】識字量にかかわらず、進行すべき方向の変化をその手前で確実に知り得ることができ、且つ見栄えが良い視覚障害者用手摺りを提供すること。【解決手段】視覚障害者用手摺りに関して、長手方向に凸部（周突起１１）又は凹部（周溝１０）が断続的に配置されており、延びる方向が変化する屈曲部分の前後位置では、凸部（周突起１１）又は凹部（周溝１０）の密度が高くなっている。延びる方向が変化する屈曲部分の前後位置において、屈曲部分に近づくにつれ徐々に又は凸部（周突起１１）又は凹部（周溝１０）の密度が高くなっていくようにしてある。【選択図】図１
2005226230.tif 000002
【特許請求の範囲】
【請求項１】
延びる方向が変化する屈曲部分の前後位置では、凸部又は凹部を設けてあることを特徴とする視覚障害者用手摺り。
【請求項２】
長手方向に凸部又は凹部が断続的に配置されており、延びる方向が変化する屈曲部分の前後位置では、他の部分より凸部又は凹部の密度が高くなっていることを特徴とする視覚障害者用手摺り。
【請求項３】
延びる方向が変化する屈曲部分から４５０〜１５００ｍｍ前後では凸部又は凹部の密度が高くなっていることを特徴とする請求項１又は２記載の視覚障害者用手摺り。
【請求項４】
延びる方向が変化する屈曲部分の前後位置において、屈曲部分に近づくにつれ徐々に凸部又は凹部の密度が高くなっていくようにしてあることを特徴とする請求項１乃至３のいずれかに記載の視覚障害者用手摺り。
【請求項５】
エンド部の手前位置では、凸部又は凹部を設けてあることを特徴とする視覚障害者用手摺り。
【請求項６】
長手方向に凸部又は凹部が断続的に配置されており、エンド部の手前位置では、それまでの部分より凸部又は凹部の密度が高くなっていることを特徴とする視覚障害者用手摺り。
【請求項７】
エンド部から４５０〜１５００ｍｍまでの間では凸部又は凹部の密度が高くなっていることを特徴とする請求項５又は６記載のの視覚障害者用手摺り。
【請求項８】
エンド部の手前位置において、エンド部に近づくにつれ徐々に凸部又は凹部の密度が高くなっていくようにしてあることを特徴とする請求項５乃至７のいずれかに記載の視覚障害者用手摺り。
【請求項９】
凸部又は凹部は、断面形状において略上半分又は全周に形成されていることを特徴とする請求項１乃至８のいずれかに記載の視覚障害者用手摺り。
【発明の詳細な説明】
【技術分野】
【０００１】
この発明は、視覚障害者用手摺りに関するものである。
【背景技術】
【０００２】
階段等の比較的危険な場所において安全に視覚障害者を誘導・案内する手段として、従来から手摺りが用いられている。
【０００３】
従来は上記手摺りの表面に点字を配設（点字を付与したシールを貼り付け又は点字ピンを打ち込む）し、これにより視覚障害者が自分がいる場所や行き先等の情報を知り得るようにしていた（例えば、特許文献１。）。
【０００４】
しかしながら、視覚障害者でも点字の知識は個人差があり、聴覚情報が多い現在では、その識字率も益々低下しているのが実情である。さらに、上記のような点字では、前方の状況、つまり自分自身が階段の手前にいること、曲がり角の手前にいることや、少し先で手摺りがなくなることの情報を得ることができず、視覚障害者には手摺りがあるにもかかわらず常に危険が付きまとっていた。
【０００５】
したがって、視覚障害者の間では、識字量にかかわらず、進行すべき方向の変化を確実に知り得るような視覚障害者用手摺りが開発することを待ち望んでいる。
【０００６】
なお、この種の手摺りは屋内は勿論、屋外にも設置されるべきものであるから、見栄えが悪いものは好まれない。
【特許文献１】実開平５−６９７７６号公報
【発明の開示】
【発明が解決しようとする課題】
【０００７】
そこで、この発明では識字量にかかわらず、進行すべき方向の変化をその手前で確実に知ることができ、且つ見栄えが良い視覚障害者用手摺りを提供することを課題とする。
【課題を解決するための手段】
【０００８】
（請求項１記載の発明）
この発明は、延びる方向が変化する屈曲部分の前後位置では、凸部又は凹部を設けてある。
【０００９】
（請求項２記載の発明）
この発明は、長手方向に凸部又は凹部が断続的に配置されており、延びる方向が変化する屈曲部分の前後位置では、他の部分より凸部又は凹部の密度が高くなっている。
【００１０】
（請求項３記載の発明）
この発明は、請求項１又は２記載の発明に関し、延びる方向が変化する屈曲部分から４５０〜１５００ｍｍ前後では凸部又は凹部の密度が高くなっている。
【００１１】
（請求項４記載の発明）
この発明は、請求項１乃至３のいずれかに記載の発明に関し、延びる方向が変化する屈曲部分の前後位置において、屈曲部分に近づくにつれ徐々に凸部又は凹部の密度が高くなっていくようにしてある。
【００１２】
（請求項５記載の発明）
この発明は、エンド部の手前位置では、凸部又は凹部を設けてある。
【００１３】
（請求項６記載の発明）
この発明は、長手方向に凸部又は凹部が断続的に配置されており、エンド部の手前位置では、それまでの部分より凸部又は凹部の密度が高くなっている。
【００１４】
（請求項７記載の発明）
この発明は、請求項５又は６記載の発明に関し、エンド部から４５０〜１５００ｍｍまでの間では凸部又は凹部の密度が高くなっている。
【００１５】
（請求項８記載の発明）
この発明は、請求項５乃至７のいずれかに記載の発明に関し、エンド部の手前位置において、エンド部に近づくにつれ徐々に凸部又は凹部の密度が高くなっていくようにしてある。
【００１６】
（請求項９記載の発明）
この発明は、請求項１乃至８のいずれかに記載の発明に関し、凸部又は凹部は、断面形状において略上半分又は全周に形成されている。
【発明の効果】
【００１７】
上記発明の視覚障害者用手摺りは、識字量にかかわらず、進行すべき方向の変化をその手前で確実に知ることができ、且つ見栄えが良い。
【発明を実施するための最良の形態】
【００１８】
以下にこの発明の視覚障害者用手摺りを実施するための最良の形態としての実施例について詳細に説明する。
【実施例１】
【００１９】
図１はこの実施例１の視覚障害者用手摺り１を建物Ｔに沿って設置した状態の上面図、図２は前記視覚障害者用手摺り１の断面図、図３は前記視覚障害者用手摺り１の斜視図を示している。
【００２０】
（視覚障害者用手摺り１の基本的構成について）
この視覚障害者用手摺り１は、図１〜３に示すように、パイプにより形成された手摺りの延びる方向を、建物Ｔの角部Ｋに合わせて９０°方向に屈曲させてあり、またパイプ周面には長手方向に周溝１０（凹部）が間隔を設けて断続的に配置されている。ここで、図１に示す（ａ点〜ｏ点）及び（ｂ点〜ｏ点）の範囲、すなわち角部Ｋから１０００ｍｍ（４５０〜１５００ｍｍの範囲にできる）前後の範囲Ｘでは、隣合う周溝１０，１０相互間長さは７０ｍｍ（５〜１５０ｍｍの範囲にできる）に設定してあると共に、それ以外の直線部分（ａ点からＡ側）及び（ｂ点からＢ側）では隣合う周溝１０，１０相互間長さを前者と区別が可能な２倍程度の寸法に設定してある。
【００２１】
なお、この視覚障害者用手摺り１は、図２に示すように、建物Ｔの壁面にボルト止めされた受け部材２により受け止められている。
【００２２】
（視覚障害者用手摺り１の優れた効果について）
視覚障害者Ｍは、障害者用手摺り１を手で掴みながら歩いていくと、ａ点においてそれまでと周溝１０，１０相互間長さが相違していることを触覚的に感じとり、少し先に曲がり角があることに気づく。そこで、視覚障害者Ｍは歩く速度をおとして注意をしながら前進することになる。つまり、この視覚障害者用手摺り１では、視覚障害者Ｍは少し先が角部Ｋであることを事前に認知することができ、転倒等の危険を回避することができる。
【００２３】
逆の方向に向かって歩いている場合は、視覚障害者Ｍの手が手摺りのｂ点にきたときには、少し先に曲がり角があることに気づく。
【実施例２】
【００２４】
図４はこの実施例２の視覚障害者用手摺り１を階段Ｓに設置した状態の正面図を示している。
【００２５】
この視覚障害者用手摺り１は、図４に示すように、パイプにより形成された手摺りの延びる方向を、階段の傾斜角に合わせて屈曲させてあり、またパイプ周面には長手方向に周溝１０（凹部）が間隔を設けて断続的に配置されている。ここで、図４に示す（ｃ点〜ｏ点）及び（ｄ点〜ｏ点）の範囲、すなわち屈曲部ｏ点から１０００ｍｍ（４５０〜１５００ｍｍの範囲にできる）前後の範囲Ｙでは、隣合う周溝１０，１０相互間長さは７０ｍｍ（５〜１５０ｍｍの範囲にできる）に設定してあると共に、それ以外の直線部分（ａ点からＡ側）及び（ｂ点からＢ側）では隣合う周溝１０，１０相互間長さを前者と区別が可能な２倍程度の寸法に設定してある。
【００２６】
（視覚障害者用手摺り１の優れた効果について）
視覚障害者Ｍは、障害者用手摺り１を掴みながら歩いていくと、ｃ点においてそれまでと周溝１０，１０相互間長さが相違していることを触覚的に感じとり、少し先に曲がり階段の降り始めがあることに気づく。そこで、視覚障害者Ｍは歩く速度をおとして注意をしながら前進することになる。つまり、この視覚障害者用手摺り１では、視覚障害者Ｍは少し先が階段の降り始めになることを事前に認知することができ、転倒等の危険を回避することができる。
【００２７】
逆に、Ｄ側から階段を登ってきた場合では、ｄ点において視覚障害者Ｍはそれまでと周溝１０，１０相互間長さが相違していることを触覚的に感じとり、少し先で階段の登りが終了することに気づく。
【実施例３】
【００２８】
図５はこの実施例３の視覚障害者用手摺り１を建物Ｔに沿って設置した状態の上面図を示している。
【００２９】
この視覚障害者用手摺り１では、図５に示すように、エンド部Ｅの手前位置１０００ｍｍ（４５０〜１５００ｍｍの範囲にできる）では、周溝１０の密度を高くしてある。ここで、周溝１０，１０相互間長さは、図５に示す（ａ点〜ｅ点）の範囲では７０ｍｍ（５〜１５０ｍｍの範囲にできる）に、それ以外の直線部分（ａ点からＡ側）では前者と区別が可能な２倍程度の寸法に設定してある。
【００３０】
この視覚障害者用手摺り１によると、視覚障害者はエンド部Ｅの手前位置１０００ｍｍ程度で、エンド部Ｅの存在を感じ取ることができ、転倒等の危険を回避することができる。
【実施例４】
【００３１】
この視覚障害者用手摺り１は基本的には実施例１〜３とほぼ同様であるが、図６に示す如く周溝１０に変えて上半分の周突起１１を採用しており、前記周突起１１，１１相互間距離を、上記実施例１、２の周溝１０，１０と同じ間隔に設定している。
【００３２】
なお、周突起１１は全周形成されたものでもよい。
【００３３】
要するに、手摺り１におけるパイプの上半分のうち少なくとも頂部に上記実施例１、２の周溝１０，１０と同じ間隔で凸部を設けるようにすればよいのである。
【００３４】
（その他）
上記実施例１、２の視覚障害者用手摺り１において、周溝１０はパイプの上半分に形成されたものでもよく、さらには、パイプの上半分のうち少なくとも頂部に上記実施例１、２の周溝１０，１０と同じ間隔で凸部を設けるようにしてもよい。
【００３５】
上記実施例１、２に変えて、延びる方向が変化する屈曲部分の前後位置において、屈曲部分に近づくにつれ徐々に凸部（略上半分の周突起、全周の周突起、頂部の突起）又は凹部（略上半分の周溝、全周の周溝、頂部の凹み）の密度が高くなっていくようにしてあるものとすることができる。
【００３６】
上記した実施例等における凸部（略上半分の周突起、全周の周突起、頂部の突起）の突出寸法又は凹部（略上半分の周溝、全周の周溝、頂部の凹み）の深さ寸法は、０．５〜５ｍｍに設定してある。
【００３７】
上記した全ての実施例において、延びる方向が変化する屈曲部分の前後位置（４５０〜１５００ｍｍ）以外の部分や、エンド部の手前位置（４５０〜１５００ｍｍ）以外の部分に、凸部（略上半分の周突起、全周の周突起、頂部の突起）又は凹部（略上半分の周溝、全周の周溝、頂部の凹み）を設けていないものとすることができる。
【図面の簡単な説明】
【００３８】
【図１】この実施例１の視覚障害者用手摺りを建物に沿って設置した状態の上面図。
【図２】前記視覚障害者用手摺りの断面図。
【図３】前記視覚障害者用手摺りの斜視図。
【図４】この実施例２の視覚障害者用手摺りを階段に設置した状態の正面図。
【図５】この実施例３の視覚障害者用手摺りを階段に設置した状態の正面図。
【図６】この実施例４の視覚障害者用手摺りの斜視図。
【符号の説明】
【００３９】
Ｋ      角部
Ｓ      階段
１      視覚障害者用手摺り
１０    周溝（凹部）
１１    周突起（凸部）
【図１】
2005226230.tif 000003
【図２】
2005226230.tif 000004
【図３】
2005226230.tif 000005
【図４】
2005226230.tif 000006
【図５】
2005226230.tif 000007
【図６】
2005226230.tif 000008